(57)【要約】      （修正有）【課題】右折、左折の方向指示を、前側、後側から認識できるようにする。自転車の前部に設置される発光体による方向指示をより確実に認識することができるようにする。方向指示機能と警笛音などの発音機能を備えた新規な方向指示器を提供する。【解決手段】前側と後側の方向指示体Ｂ，Ｃの駆動をコントローラＡにより無線で制御するので、例えば自転車等に簡単に取り付けて使用可能である。方向指示体は、前側のみ、後側のみ、前側及び後側双方への設置を任意に選択できる。前側・後側双方に設置した場合、走行中において前側と後側から方向指示を認識でき、安全性に極めて優れる。前側方向指示体Ｂを前籠２の前側に取り付けたので、より確実に方向指示を周囲に認識させることができる。後側方向指示体Ｃが把手部６２を備えるから、片手で把手部を握りもう一方の手でハンドル１を握るなどして、簡単に自転車を持ち上げ動かすことができる。【選択図】図１
0003135726.tif 000002
【実用新案登録請求の範囲】
【請求項１】
左右の発光標識部を備えた前側方向指示体および／または後側方向指示体と、
前記方向指示体における左右いずれかの発光標識部を選択的に発光させるコントローラと、を備え、
前記コントローラは、前記左右の発光標識部に対応した左右それぞれのスイッチと、それらスイッチの操作により対応する左右の発光標識部の駆動を無線式で制御する制御信号送信回路と、電源となる電池を有し、
前記方向指示体は、前記コントローラからの制御信号を受信し対応する左右いずれかの発光標識部のオン、オフを制御する発光駆動制御回路と、電源となる電池を有することを特徴とする無線操作式の方向指示器。
【請求項２】
前記前側方向指示体が自転車の前部に設置可能であり、前記後側方向指示体が自転車の後部に設置可能であり、前記コントローラが自転車のハンドルに設置可能であることを特徴とする請求項１記載の方向指示器。
【請求項３】
前記前側方向指示体が取付け部材を介して前籠前側に設置可能に形成され、前記後側方向指示体が取付け部材を介してサドル後側に設置可能に形成されていることを特徴とする請求項２記載の方向指示器。
【請求項４】
前記前側方向指示体が前籠前側に前籠と一体形成され、前記後側方向指示体がサドル後側にサドルと一体形成されていることを特徴とする請求項２記載の方向指示器。
【請求項５】
前記後側方向指示体に、自転車を持ち上げるための把手部が形成されていることを特徴とする請求項２〜４のいずれか記載の方向指示器。
【請求項６】
前記方向指示体が発音装置を有すると共に、前記コントローラが、前記発音装置の駆動を無線制御するスイッチをさらに備えることを特徴とする請求項１〜５のいずれか記載の方向指示器。
【請求項７】
前記前側および後側の方向指示体が、駆動のオン、オフを任意に選択するためのスイッチをおのおの備えていることを特徴とする請求項１〜６のいずれか記載の方向指示器。
【請求項８】
請求項１〜７のいずれか記載の方向指示器が装着された自転車。
【考案の詳細な説明】
【技術分野】
【０００１】
本考案は方向指示器に関し、詳しくは、自転車等で走行する際の方向指示を行う為の無線操作式の方向指示器に関する。
【背景技術】
【０００２】
従来、自転車等に取り付けるための方向指示器として、例えば特許文献１〜３等に記載されたものが知られている。
【０００３】
特許文献１には、左右のハンドルに取り付けられる発光ライト、これらを点滅駆動するための発振回路、駆動電源としての電池、発光ライトを各々作動させる左右のスイッチなどからなる有線操作式の方向指示器が開示されている。
【０００４】
特許文献２には、サドル後方に設置される左右の発光標識部、これらの発光を任意に制御するための左右のスイッチ、これらを駆動するための内蔵電池などからなる無線操作式の方向指示器が開示されている。
【０００５】
特許文献３には、サドル後方に設置される左右の発光手段、これらの発光を任意に制御するための方向指示操作器、これらを駆動するための内蔵電池などからなる有線式の方向指示器が開示されている。
【０００６】
【特許文献１】特開平８−１１９１６７号公報
【特許文献２】実用新案登録３０７７４５４号公報
【特許文献３】実用新案登録３１２５０９４号公報
【考案の開示】
【考案が解決しようとする課題】
【０００７】
上記従来の方向指示器は、自転車の前部または後部のいずれかに左右の発光手段を備えたもので、自転車の前部、後部において無線式で方向指示を行うことは、自転車においては通常行われていない。また、従来においては、自転車の前部に方向指示器を設置する場合、左右のハンドルに発光手段を設けており、それ以外の箇所に発光手段を設置することは通常行われていない。また、従来の自転車等用方向指示器は、方向指示機能のみを有しており、警笛音などの発音機能は備えていない。
【０００８】
本考案はこのような従来事情に鑑みてなされたもので、その目的とする処は、右折、左折の方向指示を、前側、後側から認識することができる方向指示器を提供することにある。また本考案は、自転車の前部に設置される発光体による方向指示をより確実に認識することができるようにすることを目的とする。また本考案は、方向指示機能と警笛音などの発音機能を備えた新規な方向指示器を提供することを目的とする。
【課題を解決するための手段】
【０００９】
上記目的を達成するために本考案は、
左右の発光標識部を備えた前側方向指示体および／または後側方向指示体と、
前記方向指示体における左右いずれかの発光標識部を選択的に発光させるコントローラと、を備え、
前記コントローラは、前記左右の発光標識部に対応した左右それぞれのスイッチと、それらスイッチの操作により対応する左右の発光標識部の駆動を無線式で制御する制御信号送信回路と、電源となる電池を有し、
前記方向指示体は、前記コントローラからの制御信号を受信し対応する左右いずれかの発光標識部のオン、オフを制御する発光駆動制御回路と、電源となる電池を有する無線操作式の方向指示器であることを特徴とする。
【００１０】
本考案の方向指示器を自転車に取り付ける場合、前記前側方向指示体は自転車の前部に設置可能であり、前記後側方向指示体は自転車の後部に設置可能であり、前記コントローラはハンドルに設置可能であるよう形成すると良い。
【００１１】
詳しくは、例えば、前記前側方向指示体は取付け部材を介して前籠前側に設置可能に形成し、前記後側方向指示体は取付け部材を介してサドル後側に設置可能に形成すると良い。前記前側方向指示体は前籠前側に一体形成し、前記後側方向指示体はサドル後側に一体形成することもできる。
また、前記後側方向指示体に、自転車を持ち上げるための把手部を形成すると良い。
【００１２】
前記前側および／または後側の方向指示体が発音装置を有すると共に、前記コントローラが、前記発音装置の駆動を無線制御するスイッチをさらに備えると良い。ここで、発音とは、警笛音や、その他の楽曲・メロディー等をあげることができ、発音装置としては、例えば、公知のＩＣ型録音・再生装置、書き込み・読み取り可能なメモリ装置、スピーカーなどを適宜組み合わせて構成したもの等を用いることができる。また、前記コントローラが、警笛音発音用スイッチと、その他の楽曲・メロディー等を発音させるためのスイッチとを個別に有し、発音装置もこれに対応して、警笛音と、その他の楽曲・メロディー等とを、使用者が任意に選択して発音可能に構成すると良い。
【００１３】
前記前側および後側の方向指示体が、駆動のオン、オフを任意に選択するためのスイッチをおのおの備えていると良い。
【考案の効果】
【００１４】
本考案は以上説明したように、前側と後側の方向指示体を備え、且つこれらの駆動を無線制御する新規な方向指示器としたので、例えば自転車などに簡単に取り付けて使用することができる。また、方向指示体を、前側のみへの設置、後側のみへの設置、前側及び後側の双方への設置を任意に選択でき、特に、前側・後側の双方に設置した場合、走行中において前側と後側の双方から方向指示を周囲に認識させることができるので、安全性に極めて優れるなどの効果を有する。
【００１５】
また、自転車には通常、前籠が設置されており、左右の発光体をハンドルに取り付けた場合、前籠に大きな荷物などを入れると発光体が認識し難くなる。これに対し、前側方向指示体を前籠前側に取り付けた場合はこのような問題を解消でき、より確実に方向指示を周囲に認識させることができる。
【００１６】
さらに、後側方向指示体が把手部を備えた場合、片手で該把手部を握り、もう一方の手でハンドルを握るなどして、簡単に自転車を持ち上げ動かすことなどができる。
【００１７】
また、方向指示体が発音装置を有する場合、警笛音や、楽曲・メロディー等の発音機能も兼ね備えた商品価値の高い新規な製品として提供することができる。
【００１８】
また、前側と後側の方向指示体のおのおのに駆動オン／オフスイッチを備えた場合、前側、後側のいずれか一方または双方の使用を、必要に応じて任意に選択することができるなど、多くの効果を有する。
【考案を実施するための最良の形態】
【００１９】
以下、本考案の実施形態の一例として、自転車に装着する無線操作式方向指示器を図１〜図８を参照しながら説明する。図中、Ａはハンドル１に装着するコントローラを、Ｂは前籠２の前側に装着する前側方向指示体を、Ｃはサドル３の後側に装着する後側方向指示体を、Ｄは本例の無線操作式方向指示器を装着した自転車を、それぞれ示す。
【００２０】
コントローラＡは、図１（ａ）、図２（ａ），（ｂ）、図３に示すように、上半部１０ａと下半部１０ｂからなるケーシング１０の上面に、後述する右側の発光標識部３１ａ，５１ａに対応した右側のスイッチ１１、左側の発光標識部３１ｂ，５１ｂに対応した左側のスイッチ１２、発音装置３７による警笛音発生に対応した警笛スイッチ１３、同発音装置３７による楽曲・メロディー発生に対応したメロディースイッチ１４を備え、これらスイッチ１１〜１４をゴム等からなる防水カバー１５で覆っている。
また、ケーシング１０内には、それらスイッチ１１〜１４の操作により対応する左右の発光標識部３１ａ，５１ａ、３１ｂ，５１ｂ、発音装置３７の駆動を無線式で制御する制御信号送信回路（送信器を含む）が形成された基板１６，１７と、その電源となる電池（不図示）が内蔵されている。
基板１７にはＬＥＤからなる発光体１８が装着されており、各スイッチ１１〜１４の操作によりこの発光体１８が点灯して、制御信号が送信されていることが確認できると共に、電池の残量が低下するとその発光量が低下し、電池の交換時期が認識できるようになっている。
【００２１】
また、コントローラＡは、ケーシング１０を（コントローラＡを）自転車Ｄのハンドル１に固定するための取付け部材１９を有し、ケーシング１０の下部には、その取付け部材１９にビス等の固定部材２０を介して該ケーシング１０を固定する連結部２１が形成されている。取付け部材１９は、ビス等の固定部材２２によりハンドル１に固定される。
【００２２】
前側方向指示体Ｂは、図１（ｂ）、図４（ａ）〜（ｃ）、図５に示すように、前半部３０ａと後半部３０ｂからなる縦長箱状のケーシング３０における上部の左右両側に、左右の発光標識部３１ａ，３１ｂを突出状に備える。これら発光標識部３１ａ，３１ｂは、基板３２に装着された複数のＬＥＤ３３を有し、これら基板３２とＬＥＤ３３は、透明又は半透明の樹脂製カバー３４で覆われている。
ケーシング３０内には、前記左右のスイッチ１１，１２の操作により、対応する左右の発光標識部３１ａ，３１ｂの発光（点灯又は点滅）のオン／オフを制御する発光駆動制御回路（受信器を含む）が形成された基板部材３５，３６と、その電源となる電池（不図示）が内蔵されている。
【００２３】
また、ケーシング３０内には、前記警笛スイッチ１３，メロディースイッチ１４の操作に対応して、警笛音又は楽曲やメロディー等を発音する発音装置３７を備えている。発音装置３７の詳細は省略するが、前記したように、公知のＩＣ型録音・再生装置、書き込み・読み取り可能なメモリ装置、スピーカーなどを適宜組み合わせ、前記基板部材３５，３６と電気的に接続して構成したもの等を用いることができる。
【００２４】
前側方向指示体Ｂは、ケーシング３０を（前側方向指示体Ｂを）自転車Ｄの前籠２の前部に引っ掛けるための取付け部材３８と、その引っ掛け状態を固定するネジ状の取付け部材３９を有し、これら取付け部材３８，３９により、前籠２の前面の内側に引っ掛けて固定されている。取付け部材３９は、電池収納部４０を開閉する蓋板４１を固定する固定部材を兼ねている。
【００２５】
また、前側方向指示体Ｂは、左右の発光標識部３１ａ，３１ｂの発光、及び、発音装置３７の駆動のオン、オフを切り替えるためのメインスイッチ４２を備えており、コントローラＡによる作動を任意に選択できるようになっている。
【００２６】
後側方向指示体Ｃは、図１（Ｃ）、図６（ａ），（ｂ）、図７に示すように、上半部５０ａと下半部５０ｂからなる横長箱状のケーシング５０における左右両側に、左右の発光標識部５１ａ，５１ｂを突出状に備える。これら発光標識部５１ａ，５１ｂは、基板５２に装着された複数のＬＥＤ５３を有し、これら基板５２とＬＥＤ５３は、透明又は半透明の樹脂製カバー５４で覆われている。
ケーシング５０内には、前記左右のスイッチ１１，１２の操作により、対応する左右の発光標識部５１ａ，５１ｂの発光（点灯又は点滅）のオン／オフを制御する発光駆動制御回路（受信器を含む）が形成された基板部材５５，５６と、その電源となる電池（不図示）が内蔵されている。
【００２７】
後側方向指示体Ｃは、ケーシング５０を（後側方向指示体Ｃを）自転車Ｄのサドル３の後部に固定するための取付け孔５８と、ネジ状の取付け部材（不図示）を有し、該取付け部材により、サドル３の後部下面にケーシング５０を固定するようになっている。５９は、電池収納部６０を開閉する蓋板である。
【００２８】
また、後側方向指示体Ｂも、左右の発光標識部５１ａ，５１ｂの発光のオン、オフを切り替えるためのメインスイッチ６１を備えており、コントローラＡによる作動を任意に選択できるようになっている。
なお、ケーシング５０内にも、前記した警笛スイッチ１３，メロディースイッチ１４の操作に対応して、警笛音又は楽曲やメロディー等を発音する発音装置を備えていても良い。
【００２９】
また、後側方向指示体Ｃは、自転車を持ち上げるための把手部６２をケーシング５０に一体成形しており、片手でこの把手部６２を握り、もう一方の手でハンドル１を握るなどして、簡単に自転車Ｄを持ち上げ動かすことができるようになっている。
【００３０】
以上のように構成した本例の無線操作式方向指示器の使用方法を説明すれば、取付け部材１９などによりコントローラＡをハンドル１に取り付け、取付け部材３８，３９などにより前側方向指示体Ｂを前籠２に取り付け、取付け孔５８とネジ状の取付け部材などにより後側方向指示体Ｃをサドル３に取り付ける。
そして、自転車Ｄの走行時に右折する際は右スイッチ１１を押すと右側の発光標識部３１ａ，５１ａが点灯若しくは点滅し、左折する際は左スイッチ１２を押すことで左側の発光標識部３１ｂ，５１ｂが点灯若しくは点滅し、周囲に進行方向を知らせることができる。
また、警笛スイッチ１３を押すと発音装置３７から警笛音は発せられて周囲に注意等を促し、メロディースイッチ１４を押すと発音装置３７から楽曲・メロディーなどが発せられ、音楽を聴きながら走行すること等ができる。
【００３１】
以上、本考案の実施形態例を説明したが、本考案はこの例に限定されるものではなく、実用新案登録請求の範囲の各請求項に記載された技術的思想の範疇において種々の変更が可能であることは云うまでもない。
【図面の簡単な説明】
【００３２】
【図１】本考案の方向指示器の一実施形態例を自転車に適用した場合の斜視図で、（ａ）はハンドルに装着したコントローラ、（ｂ）は前籠の前側に装着した前側方向指示体、（ｃ）はサドルの後側に装着した後側方向指示体をそれぞれ示す。
【図２】図１のコントローラを示し、（ａ）は背面図、（ｂ）左側面図を表す。
【図３】図１に示すコントローラの分解斜視図。
【図４】図１の前側方向指示体を示し、（ａ）は平面図、（ｂ）は背面図、（ｃ）は側面図を表す。
【図５】図１に示す前側方向指示体の分解斜視図。
【図６】図１の後側方向指示体を示し、（ａ）は側面図、（ｂ）は背面図を表す。
【図７】図１に示す後側方向指示体の分解斜視図。
【図８】本例の方向指示器を装着した自転車の一実施形態例を示す側面図。
【符号の説明】
【００３３】
１：ハンドル
２：前籠
３：サドル
Ａ：コントローラ
１１：右側のスイッチ
１２：左側のスイッチ
１３：警笛スイッチ
１４：メロディースイッチ
１９：取付け部材
Ｂ：前側方向指示体
３１ａ，３１ｂ：左右の発光標識部
３７：発音装置
３８，３９：取付け部材
４２：メインスイッチ
Ｃ：後側方向指示体
５１ａ，５１ｂ：左右の発光標識部
６１：メインスイッチ
６２：把手部
Ｄ：自転車
【図１】
0003135726.tif 000003
【図２】
0003135726.tif 000004
【図３】
0003135726.tif 000005
【図４】
0003135726.tif 000006
【図５】
0003135726.tif 000007
【図６】
0003135726.tif 000008
【図７】
0003135726.tif 000009
【図８】
0003135726.tif 000010